(57)【要約】【課題】コンテンツ提供システムおよび管理サーバを提供すること。【解決手段】ある店舗において提供される前記店舗を示す店舗ＩＤおよびコンテンツＩＤを含むコンテンツ情報を取得するユーザ機器と、前記コンテンツ情報を受信すると、前記コンテンツ情報に含まれるコンテンツＩＤに対応するコンテンツを送信するコンテンツ提供サーバとを備え、前記コンテンツ提供サーバは、前記コンテンツ情報に基づき、店舗ごとの前記コンテンツ情報の提供実績を管理する、コンテンツ提供システム。【選択図】図１０
2011081631.tif 000002
【特許請求の範囲】
【請求項１】
ある店舗において提供される前記店舗を示す店舗ＩＤおよびコンテンツＩＤを含むコンテンツ情報を取得するユーザ機器と；
前記コンテンツ情報を受信すると、前記コンテンツ情報に含まれるコンテンツＩＤに対応するコンテンツを送信するコンテンツ提供サーバと；
を備え、
前記コンテンツ提供サーバは、前記コンテンツ情報に基づき、店舗ごとの前記コンテンツ情報の提供実績を管理する、コンテンツ提供システム。
【請求項２】
複数のユーザ機器を対応付けて記憶する記憶部、
前記ユーザ機器が取得したコンテンツ情報を前記ユーザ機器から受信すると、前記ユーザ機器を含む前記複数のユーザ機器と前記コンテンツ情報を対応付けて登録する登録部、および、
前記コンテンツ情報を、前記コンテンツ情報に対応付けられている前記複数のユーザ機器に送信する通信部、
を有する管理サーバをさらに備え、
前記管理サーバから前記コンテンツ情報を受信したユーザ機器が、前記コンテンツ提供サーバへ前記コンテンツ情報を送信する、請求項１に記載のコンテンツ提供システム。
【請求項３】
前記店舗は、実店舗およびオンライン上の店舗を含む、請求項２に記載のコンテンツ提供システム。
【請求項４】
前記コンテンツ情報は、前記コンテンツ提供サーバへアクセスするための情報をさらに含む、請求項３に記載のコンテンツ提供システム。
【請求項５】
前記ユーザ機器は、前記店舗において非接触通信により前記コンテンツ情報を取得する、請求項４に記載のコンテンツ提供システム。
【請求項６】
複数のユーザ機器を対応付けて登録する機器登録部と；
前記複数のユーザ機器のうちのいずれかのユーザ機器から、前記ユーザ機器がある店舗において取得した前記店舗を示す店舗ＩＤおよびコンテンツＩＤを含むコンテンツ情報を受信した場合、前記ユーザ機器から受信した前記コンテンツ情報を、前記複数のユーザ機器と対応付けて登録する情報登録部と；
前記複数のユーザ機器に、前記複数のユーザ機器と対応付けられている前記コンテンツ情報を送信する通信部と；
を備える、管理サーバ。
【請求項７】
複数のユーザ機器を対応付けて登録する機器登録部と；
前記複数のユーザ機器のうちのいずれかのユーザ機器から、前記ユーザ機器が取得したコンテンツＩＤを含むコンテンツ情報を受信した場合、前記ユーザ機器から受信した前記コンテンツ情報を、前記複数のユーザ機器と対応付けて登録する情報登録部と；
前記複数のユーザ機器に、前記複数のユーザ機器と対応付けられている前記コンテンツ情報を送信する通信部と；
を備える、管理サーバ。
【発明の詳細な説明】
【技術分野】
【０００１】
本発明は、コンテンツ提供システムおよび管理サーバに関する。
【背景技術】
【０００２】
近日、インターネット上でコンテンツ提供サイトが普及している。このコンテンツ提供サイトが今後も増加することにより、コンテンツとユーザの接点も拡散することが予想される。また、コンテンツ提供サイトからユーザ機器がダウンロードしたコンテンツは、当該ユーザ機器に専有され、他のユーザ機器から利用することの敷居が高いケースが存在する。また、ストリーミングコンテンツを利用するためには、ユーザに複数のサイトでのコンテンツ管理を強いることとなる。このような事情から、ネットワーク上に管理サーバを配し、管理サーバがユーザ（あるユーザが有する複数のユーザ機器）とコンテンツの関係を一元的に管理することが望まれる。
【０００３】
また、実店舗におけるコンテンツ提供方法に関する工夫も提案されている。例えば、特許文献１には、レンタルビデオ店にＩＣタグが装着されたコンテンツケースを配し、ＩＣタグに対応するコンテンツＵＲＬに基づいて携帯電話がコンテンツ提供サーバからコンテンツを取得するシステムが開示されている。
【先行技術文献】
【特許文献】
【０００４】
【特許文献１】特願２００４−８５７４１号公報
【発明の概要】
【発明が解決しようとする課題】
【０００５】
しかし、上記のシステムでは、ＩＣタグに店舗に関する情報が含まれていないので、いずれの店舗において携帯電話への情報提供が行われたかを企業側が判断することは困難であった。このため、企業が店舗ごとの情報提供実績を管理することができないという問題があった。
【０００６】
そこで、本発明は、上記問題に鑑みてなされたものであり、本発明の目的の一つは、店舗ごとの情報提供実績の管理を可能とするための、新規かつ改良されたコンテンツ提供システムおよび管理サーバを提供することにある。
【課題を解決するための手段】
【０００７】
上記課題を解決するために、本発明のある観点によれば、ある店舗において提供される前記店舗を示す店舗ＩＤおよびコンテンツＩＤを含むコンテンツ情報を取得するユーザ機器と、前記コンテンツ情報を受信すると、前記コンテンツ情報に含まれるコンテンツＩＤに対応するコンテンツを送信するコンテンツ提供サーバと、備え、前記コンテンツ提供サーバは、前記コンテンツ情報に基づき、店舗ごとの前記コンテンツ情報の提供実績を管理する、コンテンツ提供システムが提供される。
【０００８】
前記コンテンツ提供システムは、複数のユーザ機器を対応付けて記憶する記憶部、前記ユーザ機器が取得したコンテンツ情報を前記ユーザ機器から受信すると、前記ユーザ機器を含む前記複数のユーザ機器と前記コンテンツ情報を対応付けて登録する登録部、および、前記コンテンツ情報を、前記コンテンツ情報に対応付けられている前記複数のユーザ機器に送信する通信部、を有する管理サーバをさらに備え、前記管理サーバから前記コンテンツ情報を受信したユーザ機器が、前記コンテンツ提供サーバへ前記コンテンツ情報を送信してもよい。
【０００９】
前記店舗は、実店舗およびオンライン上の店舗を含んでもよい。
【００１０】
前記コンテンツ情報は、前記コンテンツ提供サーバへアクセスするための情報をさらに含んでもよい。
【００１１】
前記ユーザ機器は、前記店舗において非接触通信により前記コンテンツ情報を取得してもよい。
【００１２】
また、上記課題を解決するために、本発明の別の観点によれば、複数のユーザ機器を対応付けて登録する機器登録部と、前記複数のユーザ機器のうちのいずれかのユーザ機器から、前記ユーザ機器がある店舗において取得した前記店舗を示す店舗ＩＤおよびコンテンツＩＤを含むコンテンツ情報を受信した場合、前記ユーザ機器から受信した前記コンテンツ情報を、前記複数のユーザ機器と対応付けて登録する情報登録部と、前記複数のユーザ機器に、前記複数のユーザ機器と対応付けられている前記コンテンツ情報を送信する通信部と、を備える管理サーバが提供される。
【００１３】
また、上記課題を解決するために、本発明の別の観点によれば、複数のユーザ機器を対応付けて登録する機器登録部と、前記複数のユーザ機器のうちのいずれかのユーザ機器から、前記ユーザ機器が取得したコンテンツＩＤを含むコンテンツ情報を受信した場合、前記ユーザ機器から受信した前記コンテンツ情報を、前記複数のユーザ機器と対応付けて登録する情報登録部と、前記複数のユーザ機器に、前記複数のユーザ機器と対応付けられている前記コンテンツ情報を送信する通信部と、を備える管理サーバが提供される。
【発明の効果】
【００１４】
以上説明したように本発明によれば、店舗ごとの情報提供実績を管理することが可能となる。
【図面の簡単な説明】
【００１５】
【図１】本発明の実施形態によるコンテンツ提供システムの構成を示した説明図である。
【図２】管理サーバの構成を示した機能ブロック図である。
【図３】記憶部に登録されるユーザ機器に関する情報の具体例を示した説明図である。
【図４】記憶部に登録されるコンテンツリストの具体例を示した説明図である。
【図５】ユーザ機器において表示されるコンテンツリスト画面３０の具体例を示した説明図である。
【図６】ユーザ機器の構成を示したブロック図である。
【図７】ユーザ機器の登録方法の一例を示したシーケンス図である。
【図８】実店舗において陳列されるコンテンツのパッケージの一例を示した説明図である。
【図９】オンラインページの具体例を示した説明図である。
【図１０】コンテンツ取得の流れを示したシーケンス図である。
【図１１】店舗ごとの実績管理の具体例を示した説明図である。
【図１２】ユーザにコンテンツを提供する企業と、ユーザにコンテンツ情報を提供する企業が異なる例を示した説明図である。
【図１３】各ユーザ機器が表示可能なコンテンツ情報の範囲を示した説明図である。
【図１４】コンテンツ情報にプライバシー設定する場合のシーケンスを示した説明図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてユーザ機器２０Ａ、２０Ｂおよび２０Ｃのように区別する。ただし、実質的に同一の機能構成を有する複数の構成要素の各々を特に区別する必要がない場合、同一符号のみを付する。例えば、ユーザ機器２０Ａ、２０Ｂおよび２０Ｃを特に区別する必要が無い場合には、単にユーザ機器２０と称する。
【００１８】
また、以下に示す項目順序に従って当該「発明を実施するための形態」を説明する。
１．コンテンツ提供システムの概要
２．ユーザ機器の登録
３．コンテンツ情報の提供
４．コンテンツの取得
５．店舗ごとの実績管理
６．補足
７．まとめ
【００１９】
＜１．コンテンツ提供システムの概要＞
まず、図１を参照し、本発明の実施形態によるコンテンツ提供システム１について概略的に説明する。
【００２０】
図１は、本発明の実施形態によるコンテンツ提供システム１の構成を示した説明図である。図１に示したように、本発明の実施形態によるコンテンツ提供システム１は、管理サーバ１０と、ネットワーク１２と、ユーザ機器２０Ａ〜２０Ｃと、コンテンツ提供サーバ３０Ｘおよび３０Ｙと、を備える。
【００２１】
なお、図１においては、ユーザＡの有するユーザ機器２０Ａ〜２０Ｃを一例として示しているに過ぎず、コンテンツ提供システム１は多数のユーザのユーザ機器２０を備えてもよい。同様に、図１においては、コンテンツ提供サーバ３０の一例としてコンテンツ提供サーバ３０Ｘおよび３０Ｙのみを示しているが、コンテンツ提供システム１は多数のコンテンツ提供サーバ３０を備えてもよい。
【００２２】
管理サーバ１０、ユーザ機器２０Ａ〜２０Ｃ、コンテンツ提供サーバ３０Ｘおよび３０Ｙは、ネットワーク１２を介して接続される。ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２３】
ユーザ機器２０は、ユーザが所有する機器であり、例えば、ネットワーク通信機能、コンテンツ再生機能、および非接触通信機能などを有する。なお、図１においては、ユーザ機器２０の一例として携帯電話、再生装置、およびＰＣ（Ｐｅｒｓｏｎａｌ  Ｃｏｍｐｕｔｅｒ）を示しているが、ユーザ機器２０は上記の例に限定されない。例えば、ユーザ機器２０は、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、ユーザ機器２０は、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２４】
コンテンツ提供サーバ３０は、コンテンツ（コンテンツデータ）を記憶しており、ユーザ機器２０に対してコンテンツを提供する。なお、以下ではコンテンツが映像コンテンツである場合に重きをおいて説明するが、コンテンツは、音楽、講演およびラジオ番組などの音楽コンテンツや、ゲームおよびソフトウェアなどのコンテンツであってもよい。また、図１においては、コンテンツ提供サーバ３０Ｘが企業Ｘにより運営され、コンテンツ提供サーバ３０Ｙが企業Ｙにより運営される例を示している。
【００２５】
管理サーバ１０は、ユーザ機器２０の登録、コンテンツ情報の登録、およびコンテンツ情報のユーザ機器２０への送信などを行う。以下、図２〜図５を参照し、上記事項について簡単に説明する。
【００２６】
図２は、管理サーバ１０の構成を示した機能ブロック図である。図２に示したように、管理サーバ１０は、通信部１１０と、機器登録部１２０と、記憶部１３０と、情報登録部１４０と、機器間情報共有部１５０と、制御部１６０と、を備える。
【００２７】
（ユーザ機器２０の登録）
通信部１１０は、各ユーザ機器２０とのインターフェースであって、各ユーザ機器２０と各種情報を送受信する。機器登録部１２０は、通信部１１０を介してユーザ機器２０と送受信される情報に基づき、同一ユーザが所有する複数のユーザ機器２０を対応付けて記憶部１３０に登録する。
【００２８】
図３は、記憶部１３０に登録されるユーザ機器２０に関する情報の具体例を示した説明図である。機器登録部１２０は、例えば図３に示したように、ユーザ機器２０Ａに搭載された非接触通信装置ＩＤ「ＦＦＦ１」と、ユーザ機器２０Ａの機器ＩＤ（携帯電話ＩＤ）「Ｍ００２」と、ユーザ機器２０Ｂの機器ＩＤ（再生装置ＩＤ）「ＸＸ０１」と、ユーザ機器２０Ｃの機器ＩＤ（ＰＣＩＤ）「Ｐ００１」とを対応付けて登録する。
【００２９】
上記のようなユーザ機器２０の登録方法については、「２．ユーザ機器の登録」において詳細に説明する。なお、ユーザという語は、単一ユーザ、および複数ユーザの双方の概念を含む。例えば、ユーザ機器２０Ａ〜２０Ｃを所有するユーザＡは、単一ユーザであっても、複数ユーザからなる家族であってもよい。
【００３０】
また、記憶部１３０は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００３１】
（コンテンツ情報の登録）
情報登録部１４０は、通信部１１０を介してユーザ機器２０からコンテンツ情報を受信すると、コンテンツ情報と送信元のユーザ機器２０とが対応付けられるようにコンテンツ情報を記憶部１３０に登録する。ここで、コンテンツ情報は、コンテンツＩＤ、企業ＩＤ、店舗ＩＤ、コンテンツタイトル、サムネイル、および所在情報などを含んでもよい。
【００３２】
図４は、記憶部１３０に登録されるコンテンツリストの具体例を示した説明図である。図４に示したように、情報登録部１４０は、非接触通信装置ＩＤが「ＦＦＦ１」であるユーザ機器２０Ａから、コンテンツＩＤ「Ｃ００１」、企業ＩＤ「Ｔ０５１」、および店舗ＩＤ「Ｓ２００」を含むコンテンツ情報が受信されると、これらコンテンツ情報を非接触通信装置ＩＤ「ＦＦＦ１」と対応付けて記憶部１３０に登録する。
【００３３】
なお、機器ＩＤが「ＸＸ０１」であるユーザ機器２０Ｂからコンテンツ情報を受信した場合であっても、図３に示したユーザ機器２０の登録情報に基づき、機器ＩＤ「ＸＸ０１」に対応する非接触通信装置ＩＤ「ＦＦＦ１」を抽出することができる。したがって、情報登録部１４０は、機器ＩＤが「ＸＸ０１」であるユーザ機器２０Ｂからコンテンツ情報を受信した場合であっても、コンテンツ情報を非接触通信装置ＩＤ「ＦＦＦ１」と対応付けて記憶部１３０に登録してもよい。
【００３４】
また、情報登録部１４０は、ユーザ機器２０から受信したコンテンツ情報に、コンテンツタイトル、サムネイル、およびコンテンツ所在情報などが含まれていない場合、これら情報を取得して記憶部１３０にさらに対応付けて登録してもよい。
【００３５】
例えば、記憶部１３０には企業ＩＤと、企業が運営するコンテンツ提供サーバ３０の所在情報（コンテンツ提供サーバ３０にアクセスするための情報）が対応付けて登録されている場合、情報登録部１４０は、コンテンツ情報に含まれる企業ＩＤに基づいてコンテンツ提供サーバ３０の所在情報を取得してもよい。さらに、取得したコンテンツ提供サーバ３０の所在情報にアクセスし、コンテンツＩＤに対応するコンテンツのタイトル、サムネイル、およびその他の属性情報を取得し、コンテンツ情報として追加してもよい。
【００３６】
なお、ユーザ機器２０によるコンテンツ情報の取得方法については、「３．コンテンツ情報の提供」において詳細に説明する。
【００３７】
（コンテンツ情報のユーザ機器２０への送信）
制御部１６０は、情報登録部１４０により上記のようにして登録されたコンテンツ情報を、コンテンツ情報が対応付けられているユーザ機器２０に通信部１１０から送信させる。例えば、制御部１６０は、上記の送信制御を周期的に行っても、ユーザ機器２０から要求があった場合に行っても、コンテンツリストが更新された場合に行ってもよい。
【００３８】
ここで、機器間情報共有部１５０は、同一ユーザが所有するユーザ機器２０間で情報を共有させるための構成であり、この機器間情報共有部１５０により、あるユーザ機器２０から他のユーザ機器２０へ情報を送信したり、動作を指示したりすることが可能である。
【００３９】
例えば、機器間情報共有部１５０は、ユーザ機器２０Ａから他のユーザ機器情報を要求されると、記憶部１３０を参照し、ユーザ機器２０Ａに対応するユーザ機器２０Ｂおよび２０Ｃを示すリストを送信する。そして、ユーザ機器２０Ａにおいてユーザ機器２０Ｂが選択され、ユーザ機器２０Ｂに対する動作指示が入力されると、機器間情報共有部１５０は、当該動作指示をユーザ機器２０Ｂに送信するための処理を行う。これにより、あるユーザ機器２０を他のユーザ機器２０から遠隔操作することが可能となる。
【００４０】
したがって、制御部１６０は、コンテンツ情報のユーザ機器２０への送信制御を、他のユーザ機器２０からの要求に応じて行うことも可能である。ユーザ機器２０は、コンテンツ情報を受信すると、受信したコンテンツ情報に基づいてコンテンツリスト画面を表示する。そして、ユーザは、コンテンツリスト画面において所望のコンテンツを選択することにより、コンテンツ提供サーバ３０からコンテンツを取得することができる。
【００４１】
図５は、ユーザ機器２０において表示されるコンテンツリスト画面３０の具体例を示した説明図である。コンテンツリスト画面３０は、例えば図５に示したように、コンテンツごとに、タイトル、サムネイル５２、サンプルボタン５４、再生ボタン５６、削除ボタン５８などを含む。
【００４２】
サンプルボタン５４がユーザにより選択されると、ユーザ機器２０はコンテンツ情報に含まれる所在情報に基づいてコンテンツ提供サーバ３０にアクセスし、選択されたコンテンツのサンプルの送信をコンテンツ提供サーバ３０に要求する。同様に、再生ボタン５６がユーザにより選択されると、ユーザ機器２０はコンテンツ情報に含まれる所在情報に基づいてコンテンツ提供サーバ３０にアクセスし、選択されたコンテンツの送信をコンテンツ提供サーバ３０に要求する。一方、削除ボタン５８が選択されると、ユーザ機器２０は、選択されたコンテンツ情報のコンテンツリストからの削除を管理サーバ１０に要求する。
【００４３】
以上説明したように、管理サーバ１０の機能により、複数のユーザ機器２０を所有するユーザは、管理サーバ１０において当該ユーザと対応付けて登録されているコンテンツを、いずれのユーザ機器２０からでも取得することが可能である。以下では、コンテンツ提供システム１における各処理をより詳細に、かつ具体的に説明する。
【００４４】
＜２．ユーザ機器の登録＞
まず、図６および図７を参照し、同一ユーザが所有する複数のユーザ機器２０を記憶部１３０に対応付けて登録する方法を説明する。なお、以下では、ユーザ機器２０Ａを携帯電話２０Ａと称し、ユーザ機器２０Ｂを再生装置２０Ｂと称し、ユーザ機器２０ＣをＰＣ２０Ｃと称する。
【００４５】
図６は、ユーザ機器２０の構成を示したブロック図である。図６に示したように、携帯電話２０Ａは、制御部２１０Ａ、非接触通信装置２２０Ａ、ＱＲコード読み取り装置２３０Ａ、ネットワーク通信装置２４０Ａ、および表示装置２５０Ａを備える。
【００４６】
制御部２１０Ａは、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などにより実現され、携帯電話２０Ａの動作全般を制御する。例えば、非接触通信装置２２０Ａおよびネットワーク通信装置２４０を介する通信などを制御する。
【００４７】
非接触通信装置２２０Ａは、リーダ／ライタ、ＩＣタグまたはＩＣカードなどと非接触通信を行うための装置である。例えば、非接触通信装置２２０Ａは、ＩＣタグまたはＩＣカードから読み取り、読み取った情報をメモリに記録する。より具体的には、本実施形態においては、非接触通信装置２２０ＡがＩＣタグまたはＩＣカードから非接触通信によりコンテンツ情報を読み取り、読み取ったコンテンツ情報をメモリに記録する。
【００４８】
ＱＲコード読取り装置２３０Ａは、画像として表示されたＱＲコードを撮像し、撮像した画像を処理することにより情報を取得する。
【００４９】
ネットワーク通信装置２４０Ａは、管理サーバ１０とのインターフェースであって、管理サーバ１０とネットワーク１２を介して各種情報を送受信する。例えば、ネットワーク通信装置２４０Ａは、管理サーバ１０からコンテンツリストを受信したり、管理サーバ１０と機器登録のための通信を行ったりすることができる。
【００５０】
表示装置２５０Ａは、例えば、液晶ディスプレイ（ＬＣＤ）装置、またはＯＬＥＤ（Ｏｒｇａｎｉｃ  Ｌｉｇｈｔ  Ｅｍｉｔｔｉｎｇ  Ｄｉｏｄｅ）装置により構成され、コンテンツリストや再生されたコンテンツなどの各種情報を表示することができる。
【００５１】
また、図６に示したように、再生装置２０Ｂは、制御部２１０Ｂ、ネットワーク通信装置２４０Ｂ、および表示装置２５０Ｂを備える。制御部２１０Ｂは、ＱＲコードの生成機能を有し、生成したＱＲコードを表示装置２５０Ｂに表示させる。制御部２１０Ｂ、ネットワーク通信装置２４０Ｂ、および表示装置２５０Ｂのその他の機能は、携帯電話２０Ａの制御部２１０Ａ、ネットワーク通信装置２４０Ａ、および表示装置２５０Ａと共通する部分が多いため詳細な説明は省略する。
【００５２】
また、図６に示したように、ＰＣ２０Ｃは、制御部２１０Ｃ、非接触通信装置２２０Ｃ、ネットワーク通信装置２４０Ｃ、および表示装置２５０Ｃを備える。これらの構成は、携帯電話２０Ａの制御部２１０Ａ、ネットワーク通信装置２４０Ａ、および表示装置２５０Ａと共通する部分が多いため詳細な説明は省略する。
【００５３】
管理サーバ１０は、これらのユーザ機器２０と通信することにより、ユーザ機器２０を対応付けて記憶部１３０に登録することができる。登録方法は特に限定されないが、一例として、以下に図７を参照して説明する方法により登録を行ってもよい。
【００５４】
図７は、ユーザ機器２０の登録方法の一例を示したシーケンス図である。まず、再生装置２０Ｂが、ネットワーク通信装置２４０Ｂを介して、管理サーバ１０へ機器ＩＤの割振りを依頼する（Ｓ３０４）。管理サーバ１０の機器登録部１２０は、機器ＩＤの割振り依頼に応じ、再生装置２０Ｂに対して機器ＩＤを割り振り、割り振った機器ＩＤを記憶部１３０に登録する（Ｓ３０８）。さらに、管理サーバ１０は、割り振った機器ＩＤを再生装置２０Ｂに通知する（Ｓ３１２）。
【００５５】
再生装置２０Ｂの制御部２１０Ｂは、管理サーバ１０から機器ＩＤを通知されると、通知された機器ＩＤを管理サーバ１０のＵＲＬに付加し、付加後のＵＲＬをＱＲコードに変換する。そして、再生装置２０Ｂの制御部２１０Ｂは、ＱＲコードを表示装置２５０Ｂに表示させる（Ｓ３１６）。
【００５６】
一方、携帯電話２０Ａは、ＱＲコード読取り装置２３０Ａを起動（あるいは、ＱＲコードを読み取るためのアプリケーションを起動）し（Ｓ３２０）、再生装置２０Ｂの表示装置２５０Ｂに表示されたＱＲコードを読み取る（Ｓ３２４）。そして、携帯電話２０Ａは、読み取ったＱＲコードの示すＵＲＬを利用して管理サーバ１０へアクセスする（Ｓ３２８）。
【００５７】
ここで、携帯電話２０Ａが管理サーバ１０にアクセスする際に利用したＵＲＬには、再生装置２０Ｂの機器ＩＤが付加されている。このため、管理サーバ１０の機器登録部１２０は、アクセス元の携帯電話２０Ａの機器ＩＤを、ＵＲＬに付加されている再生装置２０Ｂの機器ＩＤと対応付けて記憶部１３０に登録することができる（Ｓ３３２）。
【００５８】
その後、管理サーバ１０は、携帯電話２０Ａに対し、非接触通信装置２２０ＡのＩＤを要求する（Ｓ３３６）。具体的には、管理サーバ１０は、携帯電話２０Ａにおいて非接触通信装置２２０ＡのＩＤを読み取るためのアプリケーションのＵＲＬを送信してもよい。そして、携帯電話２０Ａの制御部２１０Ａは、非接触通信装置２２０ＡのＩＤを読み取り、読み取った非接触通信装置２２０ＡのＩＤをネットワーク通信装置２４０Ａから管理サーバ１０に送信する（Ｓ３４４）。管理サーバ１０の機器登録部１２０は、これにより、携帯電話２０Ａの非接触通信装置ＩＤを携帯電話２０Ａの機器ＩＤと対応付けて記憶部１３０に登録することができる（Ｓ３４８）。
【００５９】
続いて、管理サーバ１０の機器登録部１２０は、仮ＩＤを生成して携帯電話２０Ａの非接触通信装置ＩＤと対応付けて登録する（Ｓ３５２）。そして、管理サーバ１０は、ＰＣ２０Ｃからの管理サーバ１０に対するアクセス用のＵＲＬを携帯電話２０Ａに送信する（Ｓ３５６）。ここで、アクセス用のＵＲＬには、携帯電話２０Ａの非接触通信装置ＩＤと対応付けて登録した仮ＩＤが付加されている。携帯電話２０Ａは、この管理サーバ１０に対するアクセス用のＵＲＬを受信すると、ＰＣ２０Ｃにメールによりこれを送信する（Ｓ３６０）。
【００６０】
その後、ＰＣ２０Ｃは、携帯電話２０Ａから受信したメールに含まれるＵＲＬに基づいて管理サーバ１０にアクセスする（Ｓ３６６）。ここで、ＰＣ２０Ｃが管理サーバ１０にアクセスする際に利用したＵＲＬには、ＰＣ２０Ｃの仮ＩＤが付加されている。このため、管理サーバ１０の機器登録部１２０は、仮ＩＤに変えて正式な機器ＩＤをＰＣ２０Ｃに割り振り、割り振った機器ＩＤを携帯電話２０Ａの非接触通信装置ＩＤと対応付けて記憶部１３０に登録することができる（Ｓ３７０）。そして、管理サーバ１０は、ＰＣ２０Ｃに割り振った機器ＩＤをＰＣ２０Ｃに通知する（Ｓ３７４）。
【００６１】
以上説明した一連の流れにより、図３に示したように、各ユーザ機器２０を対応付けて登録することが可能である。ただし、上記の一連の流れは登録のための方法の一例に過ぎず、他の多様な方法を適用することも可能である。例えば、図７においては、ＰＣ２０Ｃからの管理サーバ１０に対するアクセス用のＵＲＬを携帯電話２０ＡがＰＣ２０Ｃにメールで送信する例を示したが（Ｓ３６０）、ユーザがＰＣ２０Ｃにアクセス用のＵＲＬを入力してもよい。
【００６２】
また、図７には、再生装置２０Ｂの機器ＩＤ、携帯電話２０Ａの機器ＩＤ、非接触通信装置ＩＤ、ＰＣ２０Ｃの機器ＩＤ、の順序で登録される例を示したが、登録順序は特に限定されない。
【００６３】
また、登録に際してパスワードを利用することも可能である。例えば、管理サーバ１０の機器登録部１２０は、同一のパスワードを利用してアクセスしてきた複数のユーザ機器２０を対応付けて記憶部１３０に登録してもよい。
【００６４】
＜３．コンテンツ情報の提供＞
次に、企業側が、コンテンツ情報をユーザ機器２０に提供するための方法を説明する。コンテンツ情報の提供形態は、実店舗における提供と、オンライン上の店舗における提供とに大別される。以下、実店舗における提供、およびオンライン上の店舗における提供について説明する。
【００６５】
（実店舗における提供）
現状のレンタルビデオ店においては、陳列棚にコンテンツのパッケージが陳列されており、ユーザは、このパッケージに基づいてコンテンツを選択し、レジにて選択したコンテンツの会計を行う。そして、ユーザは、会計を行なったコンテンツが記録された記録媒体（例えば、光ディスク）を期限付きで取得し、当該記録媒体を自宅に持ち帰り、自宅にてコンテンツを再生して視聴する。
【００６６】
しかし、結局のところ、ユーザは自宅でコンテンツを視聴できればよいわけで、記録媒体を物理的に自宅に持ち帰るという過程は必須ではない。また、ユーザによっては、レジにて対人式で会計を行うことに抵抗を有することが想定される。
【００６７】
そこで、本実施形態においては、実店舗でコンテンツＩＤなどのコンテンツ情報をユーザに提供する。これにより、ユーザが、コンテンツ情報に基づいてコンテンツ提供サーバ３０からネットワーク１２を介してコンテンツを取得することが可能となる。さらに、本実施形態においては、コンテンツＩＤに加えて、実店舗を示す店舗ＩＤもユーザに提供する。これにより、後述するように、企業側が店舗ごとのコンテンツ情報の提供実績を管理することが可能となる。
【００６８】
ここで、実店舗におけるコンテンツ情報の提供は、例えば、以下に図８を参照して説明するように、非接触通信により実現されてもよい。
【００６９】
図８は、実店舗において陳列されるコンテンツのパッケージ６０の一例を示した説明図である。コンテンツのパッケージ６０には、ＩＣタグまたはＩＣカードが装着されており、ＩＣタグまたはＩＣカードの装着位置を示す位置表示６２が設けられている。このＩＣタグまたはＩＣカードには、コンテンツに対応するコンテンツＩＤおよび当該実店舗を示す店舗ＩＤなどのコンテンツ情報が記録されている。したがって、ユーザは、携帯電話２０Ａをコンテンツのパッケージ６０上の位置表示６２に近接させることにより、ＩＣタグまたはＩＣカードから非接触通信によりコンテンツ情報を取得することができる。
【００７０】
または、コンテンツのパッケージ６０には、ＩＣタグまたはＩＣカードでなく、コンテンツ情報が画像化されたＱＲコードが設けられていてもよい。この場合、携帯電話２０Ａは、コンテンツのパッケージ６０上のＱＲコードを読み取ることによりコンテンツ情報を取得することができる。
【００７１】
なお、ＩＣタグやＩＣカードに記録されるコンテンツ情報は、コンテンツＩＤを含み、店舗ＩＤを含まなくてもよい。この場合、店舗ＩＤをユーザに提供するための手段として、例えば、入退店時における店舗ＩＤの記録が挙げられる。具体的には、店舗の入り口に非接触通信用のリーダ／ライタを設け、ユーザの入店時、ユーザの携帯電話２０Ａに店舗ＩＤをリーダ／ライタにより記録してもよい。これにより、後に行われるコンテンツＩＤのＩＣタグやＩＣカードからの取得がいずれの店舗で行われたかを管理することが可能となる。また、他の手段として、ＧＰＳ（Ｇｌｏｂａｌ  Ｐｏｓｉｔｉｏｎｉｎｇ  Ｓｙｓｔｅｍ）や無線電波強度を利用する位置推定技術により店舗を特定することも可能である。
【００７２】
また、上記ではコンテンツ情報をコンテンツのパッケージ６０に実装する例を説明したが、本実施形態はかかる例に限定されない。例えば、コンテンツを紹介するコンテンツごとのブースを設置し、当該ブース内にコンテンツ情報の記録媒体（ＩＣタグ、ＩＣカード、リーダライタなど）を設けてもよい。
【００７３】
（オンライン上の店舗における提供）
以上、地理的に配置された実店舗でコンテンツ情報を提供する例を説明したが、オンライン上の店舗でコンテンツ情報を提供することも可能である。例えば、企業側は、図９に示すようなオンラインページを用意し、ユーザは、ＰＣ２０Ｃから当該オンラインページにアクセスし、当該オンラインページ上でコンテンツ情報をしてもよい。
【００７４】
図９は、オンラインページ７０の具体例を示した説明図である。図９に示したように、オンラインページ７０は、コンテンツごとのタイトル、サムネイル７２、およびレンタルボタン７４などの表示を含む。このオンラインページ７０の提供主体は特に限定されないが、コンテンツ提供サーバ３０が提供主体であってもよい。
【００７５】
ＰＣ２０Ｃに表示されたこのオンラインページ７０においてレンタルボタン７４が選択されると、ＰＣ２０Ｃは、選択されたレンタルボタン７４に対応するコンテンツ情報を非接触通信により送信するための準備をする。したがって、ユーザは、ＰＣ２０Ｃの非接触通信装置２２０Ｃに携帯電話２０Ａの非接触通信装置２２０Ａを近接することにより、コンテンツ情報を取得することができる。なお、携帯電話２０Ａにより取得されたコンテンツ情報は、管理サーバ１０に送信されると、例えば図４に示したように携帯電話２０Ａの非接触通信装置ＩＤと対応付けて登録される。
【００７６】
また、オンラインページ７０において提供されるコンテンツ情報は、実店舗で提供されるコンテンツ情報と同様に、コンテンツＩＤ、企業ＩＤ、および店舗ＩＤなどを含んでもよい。ここで、店舗ＩＤは、オンライン上の店舗であることを示すものであってもよい。さらに、個人がオンライン上の日記（例えば、ブログ）においてコンテンツ情報を提供してもよい。この場合、店舗ＩＤは個人の識別情報として利用され、コンテンツ提供サーバ３０は、コンテンツ情報を提供した個人に対して利益還元を行ってもよい（アフィリエイト）。
【００７７】
＜４．コンテンツの取得＞
以上説明したように、管理サーバ１０において複数のユーザ機器２０が対応付けて登録され、コンテンツ情報が複数のユーザ機器２０に対応付けて登録されると、各ユーザ機器２０がコンテンツを取得することが可能となる。以下、ユーザ機器２０の一例としての再生装置２０Ｂがコンテンツを取得する流れを、図１０を参照して説明する。
【００７８】
図１０は、コンテンツ取得の流れを示したシーケンス図である。図１０に示したように、携帯電話２０Ａは、非接触通信装置２２０Ａを起動した後（Ｓ４０４）、店舗Ａに配置されたコンテンツのパッケージ６０に装着されたＩＣタグから、非接触通信により当該コンテンツのコンテンツ情報を読み出す（Ｓ４０８）。このコンテンツ情報は、図１０に示した例では、コンテンツＩＤ「Ｃ００１」、企業ＩＤ「Ｔ０５１」、および店舗ＩＤ「Ｓ２００」を含む。
【００７９】
続いて、携帯電話２０Ａが、携帯電話２０Ａの非接触通信装置ＩＤとコンテンツ情報を管理サーバ１０へ送信し（Ｓ４１２）、管理サーバ１０の情報登録部１４０が、受信したコンテンツ情報を携帯電話２０Ａの非接触通信装置ＩＤと対応付けて記憶部１３０に登録する（Ｓ４１６）。
【００８０】
その後、管理サーバ１０は、携帯電話２０Ａと対応付けて登録されている例えば再生装置２０Ｂに、コンテンツリストが更新された旨を通知する（Ｓ４２０）。すると、再生装置２０Ｂが管理サーバ１０に更新後のコンテンツリストの送信を依頼し（Ｓ４２４）、管理サーバ１０が当該依頼に応じて更新後のコンテンツリストを再生装置２０Ｂに送信する（Ｓ４２８）。
【００８１】
そして、再生装置２０Ｂにより表示されたコンテンツリストから、コンテンツＩＤが「Ｃ００１」であるコンテンツがユーザにより選択されると（Ｓ４３２）、再生装置２０Ｂは、当該コンテンツのダウンロードをコンテンツ提供サーバ３０に要求する（Ｓ４３６）。ここで、再生装置２０Ｂは、ダウンロード要求として、コンテンツＩＤ「Ｃ００１」に加え、店舗ＩＤ「Ｓ２００」を併せてコンテンツ提供サーバ３０に送信する。
【００８２】
続いて、再生装置２０Ｂおよびコンテンツ提供サーバ３０の間で課金処理が行われ（Ｓ４４０）、コンテンツ提供サーバ３０から再生装置２０Ｂへのコンテンツのダウンロードが完了する（Ｓ４４４）。さらに、コンテンツ提供サーバ３０は、詳細については「５．店舗ごとの実績管理」において説明するように、再生装置２０Ｂから受信した店舗ＩＤを利用して、店舗ごとのコンテンツ情報の提供実績を管理する（Ｓ４４８）。
【００８３】
なお、図１０には再生装置２０Ｂが課金処理を行う例を示したが、本実施形態はかかる例に限定されない。例えば、Ｓ４０８において携帯電話２０Ａが取得するコンテンツ情報にコンテンツ提供サーバ３０へのアクセスＵＲＬが含まれる場合、携帯電話２０Ａが当該アクセスＵＲＬに基づいてコンテンツ提供サーバ３０へアクセスし、課金処理の少なくとも一部を行ってもよい。
【００８４】
また、図１０には、再生装置２０Ｂがコンテンツ提供サーバ３０からコンテンツをダウンロードする例を示したが、コンテンツはストリーミング送信されてもよい。また、ユーザは、管理サーバ１０の機器間情報共有部１５０の機能に基づき、再生装置２０Ｂでなく、携帯電話２０Ａを操作することにより再生装置２０Ｂにコンテンツを取得させてもよい。かかる構成によれば、例えば、ユーザは、帰宅中に再生装置２０Ｂにコンテンツのダウンロードを行わせ、帰宅して直ちに、コンテンツの視聴を開始することが可能となる。
【００８５】
＜５．店舗ごとの実績管理＞
上述したように、店舗におけるコンテンツ情報のユーザへの提供が基点となり、コンテンツ提供サーバ３０からユーザ機器２０にコンテンツが提供される。したがって、基点となるコンテンツ情報の提供が行われた店舗に対して利益を還元する仕組みが重要である。このような背景から、本実施形態においては、コンテンツ情報に店舗ＩＤを付加した。これにより、基点となるコンテンツ情報の提供が行われた店舗を特定し、店舗ごとのコンテンツ情報の提供実績を管理することが可能となる。
【００８６】
例えば、コンテンツ提供サーバ３０は、店舗ごとに、当該店舗が基点となってダウンロードされたコンテンツのコンテンツＩＤ、コンテンツの販売額、および店舗への還元額などを管理してもよい。
【００８７】
図１１は、店舗ごとの実績管理の具体例を示した説明図である。図１１に示した例では、店舗ＩＤが「Ｓ２００」である店舗「ＡＡＡ駅前店」が基点となってダウンロードされたコンテンツのコンテンツＩＤが「Ｃ００１」であり、ダウンロード日時が「２００９／９／１５」であることが管理されている。また、図１１に示した例では、店舗「ＡＡＡ駅前店」が基点となったコンテンツの店舗販売額が「８００,０００円」であり、店舗「ＡＡＡ駅前店」への店舗還元額が「４０,０００円」である。
【００８８】
なお、上記の店舗販売額や店舗還元額は、月ごと、週ごと、または日ごとなど、任意の期間ごとの集計値であってもよい。また、店舗還元額は、店舗販売額に所定の還元率を乗じた値であってもよい。また、還元率は、店舗販売額が大きいほど大きくなるなど、店舗販売額に応じて可変であってもよい。
【００８９】
さらに、還元率は、店舗ごとに異なる値であってもよい。例えば、図１１に示したように、店舗「ＡＡＡ駅前店」に対する還元率は５％に設定し、店舗「ＢＢＢ点」に対する還元率は２．５％に設定してもよい。特に、実店舗の固定費はオンライン上の店舗の固定費より大きいことを考慮し、実店舗に対する還元率をオンライン上の店舗に対する還元率より高く設定してもよい。なお、コンテンツ提供サーバ３０に送信するコンテンツ情報にユーザＩＤをさらに付加してもよい。これにより、コンテンツ提供サーバ３０は、ユーザごとに、ユーザがどの店舗でどのような購入やレンタルを行ったかという、顧客行動情報を管理することが可能となる。
【００９０】
＜６．補足＞
補足であるが、ユーザにコンテンツを提供する企業と、ユーザにコンテンツ情報を提供する企業は同一であってもよい。すなわち、店舗を構えて当該店舗においてユーザにコンテンツ情報を提供する企業と、コンテンツ情報に基づいてユーザにコンテンツを提供するコンテンツ提供サーバ３０を運営する企業は同一であってもよい。一方、図１２を参照して説明するように、ユーザにコンテンツを提供する企業と、ユーザにコンテンツ情報を提供する企業は異なってもよい。
【００９１】
図１２は、ユーザにコンテンツを提供する企業と、ユーザにコンテンツ情報を提供する企業が異なる例を示した説明図である。図１２に示した例では、企業Ａがユーザにコンテンツを提供する企業であり、企業Ｂおよび企業Ｃがユーザにコンテンツ情報を提供する企業である。
【００９２】
この場合、コンテンツのパッケージは例えば企業Ｂまたは企業Ｃの店舗に配置されるが、コンテンツのパッケージに装着されるＩＣタグには、企業ＩＤとして企業ＡのＩＤが記録される。これにより、ユーザは企業Ｂまたは企業Ｃの店舗でコンテンツ情報を取得し、企業Ａが運営するコンテンツ提供サーバ３０からコンテンツを取得することが可能となる。
【００９３】
（コンテンツ情報のプライベート設定について）
また、上記では、あるユーザ機器で取得したコンテンツ情報を、他の不特定のユーザ機器が表示および利用できる例を説明した。しかし、コンテンツ情報をプライベート設定することにより、表示および利用できるユーザ機器を制限することも可能である。一例を図１３を参照して説明する。
【００９４】
図１３は、各ユーザ機器が表示可能なコンテンツ情報の範囲を示した説明図である。図１３には、父親の携帯電話２０、母親の携帯電話２０、および子供の携帯電話２０から取得されたコンテンツ情報が管理サーバ１０に登録される例を示している。また、各携帯電話２０から取得されたコンテンツ情報の一部がプライベート設定されている。
【００９５】
この場合、家族により共有される再生装置２０Ｂは、図１３に示したように、各携帯電話２０により取得されたコンテンツ情報のうちで、プライベート設定されていないコンテンツ情報のみを表示することができ、プライベート設定されているコンテンツ情報を表示することができない。
【００９６】
一方、父親の携帯電話２０は、図１３に示したように、プライベート設定されていないコンテンツ情報に加え、父親の携帯電話２０から取得したプライベート設定されているコンテンツ情報を表示することができる。以下、このような制限を実現するための具体的な流れについて図１４を参照して説明する。
【００９７】
図１４は、コンテンツ情報にプライバシー設定する場合のシーケンスを示した説明図である。まず、再生装置２０Ｂが、ネットワーク通信装置２４０Ｂを介して、管理サーバ１０へ機器ＩＤの割振りを依頼する（Ｓ５０４）。管理サーバ１０の機器登録部１２０は、機器ＩＤの割振り依頼に応じ、再生装置２０Ｂに対して機器ＩＤを割り振り、割り振った機器ＩＤを記憶部１３０に登録する（Ｓ５０８）。さらに、管理サーバ１０は、割り振った機器ＩＤを再生装置２０Ｂに通知する（Ｓ５１２）。
【００９８】
再生装置２０Ｂの制御部２１０Ｂは、管理サーバ１０から機器ＩＤを通知されると、通知された機器ＩＤを管理サーバ１０のＵＲＬに付加し、付加後のＵＲＬをＱＲコードに変換する。そして、再生装置２０Ｂの制御部２１０Ｂは、ＱＲコードを表示装置２５０Ｂに表示させる（Ｓ５１６）。
【００９９】
一方、携帯電話２０Ａは、ＱＲコード読取り装置２３０Ａを起動（あるいは、ＱＲコードを読み取るためのアプリケーションを起動）し（Ｓ５２０）、再生装置２０Ｂの表示装置２５０Ｂに表示されたＱＲコードを読み取る（Ｓ５２４）。そして、携帯電話２０Ａは、読み取ったＱＲコードの示すＵＲＬを利用して管理サーバ１０へアクセスする（Ｓ５２８）。
【０１００】
ここで、携帯電話２０Ａが管理サーバ１０にアクセスする際に利用したＵＲＬには、再生装置２０Ｂの機器ＩＤが付加されている。このため、管理サーバ１０の機器登録部１２０は、アクセス元の携帯電話２０Ａの機器ＩＤ、非接触通信装置ＩＤ、およびユーザＩＤを、ＵＲＬに付加されている再生装置２０Ｂの機器ＩＤと対応付けて記憶部１３０に登録することができる（Ｓ５３２）。なお、携帯電話２０Ａは、図７を参照して説明したように、非接触通信装置ＩＤは別途で送信してもよい。また、ユーザＩＤは、個人ごと、またはグループごとに割り当てられたＩＤであってもよく、Ｓ５０８において登録されてもよい。
【０１０１】
その後、携帯電話２０Ａは、非接触通信装置２２０Ａを起動した後、店舗Ａに配置されたコンテンツのパッケージ６０に装着されたＩＣタグから、非接触通信により当該コンテンツのコンテンツ情報を読み出す（Ｓ５３８）。このコンテンツ情報は、図１４に示した例では、コンテンツＩＤ「Ｃ００１」、企業ＩＤ「Ｔ０５１」、および店舗ＩＤ「Ｓ２００」を含む。さらに、このコンテンツ情報は、コンテンツ種別「１８禁」（Ｒ１８）という情報も含むものとする。
【０１０２】
続いて、携帯電話２０Ａが、携帯電話２０Ａの非接触通信装置ＩＤとコンテンツ情報を管理サーバ１０へ送信し（Ｓ５４２）、管理サーバ１０の情報登録部１４０が、受信したコンテンツ情報をユーザＩＤと対応付けて記憶部１３０に登録する（Ｓ５４６）。ここで、情報登録部１４０は、コンテンツ種別が「１８禁」であるため、コンテンツ情報をプライベート設定して登録する。なお、プライベート設定はユーザ操作によって行うことも可能である。また、携帯電話２０Ａがプライベート機器として設定されている場合、情報登録部１４０は、携帯電話２０Ａから受信した全てのコンテンツ情報をプライベート設定して登録してもよい。
【０１０３】
その後、管理サーバ１０は、携帯電話２０Ａと対応付けて登録されている例えば再生装置２０Ｂに、コンテンツリストが更新された旨を通知する（Ｓ５５０）。すると、再生装置２０Ｂが管理サーバ１０に更新後のコンテンツリストの送信を依頼する（Ｓ５５４）。ここで、再生装置２０Ｂがパブリック機器として設定されている場合、管理サーバ１０は、ユーザＩＤ（再生装置ＩＤから抽出可能）に対応付けて登録されているコンテンツ情報のうちで、プライベート設定されていないコンテンツ情報を抽出する（Ｓ５５８）。
【０１０４】
そして、管理サーバ１０は、抽出したプライベート設定されていないコンテンツ情報からなるコンテンツリストを再生装置２０Ｂへ送信し（Ｓ５６２）、再生装置２０Ｂは管理サーバ１０から受信した、プライベート設定されていないコンテンツ情報からなるコンテンツリストを表示する（Ｓ５６６）。一方、管理サーバ１０は、プライベート機器として設定されているユーザ機器２０からコンテンツリストの送信を依頼された場合、プライベート設定されているコンテンツ情報を含むコンテンツリストを送信する。このようにして、プライベート設定されているコンテンツ情報を表示可能な装置を制限することが可能である。
【０１０５】
なお、上記の制限方法は一例に過ぎず、以下の修正、および追加などを行ってもよい。
・プライベート機器としての設定、およびパブリック機器としての設定はユーザ操作に基づいて変更可能である。その際、ユーザにパスワードの入力を要求してもよい。
・プライベート設定されていないコンテンツ情報の抽出（フィルタリング）は、管理サーバ１０でなく、パブリック機器として設定されている再生装置２０Ｂにおいて行ってもよい。
・コンテンツ情報に、コンテンツ情報の取得元のユーザ機器２０を示す情報をさらに対応付けて登録し、プライベート設定されているコンテンツ情報が当該コンテンツ情報の取得元のユーザ機器２０にのみ表示されるようにしてもよい。例えば、管理サーバ１０は、携帯電話２０Ａに、プライベート設定されていないコンテンツ情報、および携帯電話２０Ａにより取得されたプライベート設定されているコンテンツ情報を抽出して送信してもよい。
・管理サーバ１０は、プライベート機器として設定されている携帯電話２０Ａから承認が得られた場合、または、携帯電話２０Ａからコマンドが発せられた場合などには、パブリック機器として設定されている再生装置２０Ｂに対してプライベート設定されているコンテンツ情報を送信してもよい。
・パブリック機器として設定されている再生装置２０Ｂであっても、ユーザＩＤによりログインが行われた場合、プライベート機器として機能してもよい。
【０１０６】
（その他）
事業者は、店舗に電子広告（デジタルサイネージ）を配し、ユーザ機器２０が読み取り可能なカードリーダやＱＲコードを電子広告に設置してもよい。これにより、電子広告を介してユーザ機器２０にコンテンツ情報やサンプルコンテンツを送信することが可能となる。
【０１０７】
＜７．まとめ＞
以上説明したように、本実施形態によれば、管理サーバ１０において複数のユーザ機器２０が対応付けて登録され、コンテンツ情報が複数のユーザ機器２０に対応付けて登録されるので、各ユーザ機器２０がコンテンツ情報を共有し、共有するコンテンツ情報に基づいてコンテンツを取得することが可能となる。
【０１０８】
また、本実施形態においては、店舗においてユーザに提供されるコンテンツ情報に、当該店舗を示す店舗ＩＤが含まれる。さらに、ユーザ機器２０は、コンテンツ提供サーバ３０からコンテンツを取得する際、コンテンツＩＤと共に店舗ＩＤもコンテンツ提供サーバ３０へ送信する。これにより、コンテンツ提供サーバ３０は、基点となるコンテンツ情報の提供が行われた店舗を特定し、店舗ごとのコンテンツ情報の提供実績を管理することが可能となる。
【０１０９】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１０】
例えば、本明細書のコンテンツ提供システム１の処理における各ステップは、必ずしもシーケンス図として記載された順序に沿って時系列に処理する必要はない。例えば、コンテンツ提供システム１の処理における各ステップは、フローチャートとして記載した順序と異なる順序で処理されても、並列的に処理されてもよい。
【０１１１】
また、管理サーバ１０およびユーザ機器２０に内蔵されるＣＰＵ、ＲＯＭおよびＲＡＭなどのハードウェアを、上述した管理サーバ１０およびユーザ機器２０の各構成と同等の機能を発揮させるためのコンピュータプログラムも作成可能である。また、該コンピュータプログラムを記憶させた記憶媒体も提供される。また、図２および図６のブロック図で示したそれぞれのブロックをハードウェアで構成することで、一連の処理をハードウェアで実現することもできる。
【符号の説明】
【０１１２】
１        コンテンツ提供システム
１２      ネットワーク
２０      ユーザ機器
２０Ａ    携帯電話
２０Ｂ    再生装置
２０Ｃ    ＰＣ
３０、３０Ｘ、３０Ｙ  コンテンツ提供サーバ
１１０    通信部
１２０    機器登録部
１３０    記憶部
１４０    情報登録部
１５０    機器間情報共有部
１６０    制御部
２１０Ａ、２１０Ｂ、２１０Ｃ  制御部  
２２０Ａ、２２０Ｃ    非接触通信装置
２３０Ａ    ＱＲコード読取り装置
２４０Ａ、２４０Ｂ、２４０Ｃ  ネットワーク通信装置
２５０Ａ、２５０Ｂ、２５０Ｃ  表示装置
【図１】
2011081631.tif 000003
【図２】
2011081631.tif 000004
【図３】
2011081631.tif 000005
【図４】
2011081631.tif 000006
【図５】
2011081631.tif 000007
【図６】
2011081631.tif 000008
【図７】
2011081631.tif 000009
【図８】
2011081631.tif 000010
【図９】
2011081631.tif 000011
【図１０】
2011081631.tif 000012
【図１１】
2011081631.tif 000013
【図１２】
2011081631.tif 000014
【図１３】
2011081631.tif 000015
【図１４】
2011081631.tif 000016